(57)【要約】      （修正有）【課題】摩耗される部位を交換可能な交換用ベルト部から構成することにより、鋸歯面が摩耗されたベルトだけ交換して使用し得るようにしたスポーツ用バインダーの交換可能なベルトを提供する。【解決手段】ブーツを固定するための鋸歯面５が形成されたスノーボードバインディングの固定ベルト１として、一端にスノーボードバインディングに結合され得る連結穴が形成され、他端は他の固定用ベルトと連結され得る連結部が形成された第１ベルト部３と、前記第１ベルト部３と連結されその両端に前記第１ベルト３及び他の固定用ベルトと連結され得る連結部がそれぞれ形成された第２ベルト部２と、前記第２ベルト部２と連結され一端に前記第２ベルト２と連結される連結部が形成され、他端は前記バインディングのクリップに挿入される進入部が形成された第３ベルト部４とからなり、前記第２ベルト部２の鋸歯面５が摩耗された場合、前記第２ベルト部２を交換できる。【選択図】  図２
2005021543.tif 000002
【特許請求の範囲】
【請求項１】
内側に受容されるブーツを固定するための鋸歯面が形成されたスノーボードバインディングの固定ベルトとして、一端が前記スノーボードバインディングに結合され得るように連結穴が形成され、他端は更に他の固定用ベルトと連結され得るように連結部が形成された第１ベルト部と、前記第１ベルト部と連結されその両端に前記第１ベルト及びまたその他の固定用ベルトと連結され得るように連結部がそれぞれ形成された第２ベルト部と、及び前記第２ベルト部と連結され一端が前記第２ベルトと連結される連結部が形成され、他端は前記バインディングのクリップに挿入される進入部が形成された第３ベルト部とからなり、前記クリップが最終的に固定する前記第２ベルト部の鋸歯面が摩耗された場合、前記第２ベルト部を交換できることを特徴とするスノーボードバインディングの交換可能な固定ベルト。
【請求項２】
第一項において、前記第２ベルト部は、両端の連結部が前記第１ベルト部及び第３ベルト部にそれぞれ内側に受容され、固定ピンの挿入によりヒンジ結合され得ることを特徴とするスノーボードバインディングの交換可能な固定ベルト。
【請求項３】
第１項または第２項において、前記第２ベルト部は、鋸歯面上に金属材の薄板が付着され耐久性を増加させたことを特徴とするスノーボードバインディングの交換可能な固定ベルト。
【請求項４】
第１項において、前記第１ベルト部は、前記連結部に突出顎が形成されることにより、ベルトが前記クリップから外された場合、前記突出顎までにだけ回動可能なことを特徴とするスノーボードバインディングの交換可能な固定ベルト。
【請求項５】
鋸歯面が形成されクリップによって締め付けられるスポーツ用バインダーの固定ベルトとして、一端は前記スポーツ用バインダーに回動可能に固定される第１ベルトと、前記クリップにより使用者の足サイズに合せて締め付けられ、固定され、一端は前記第１ベルト部の他端と回動可能に結合され交換用ベルト部を形成する第２ベルトと、及び一端は前記第２ベルトの他端と結合され、他端は前記クリップ内部へ最初に挿入される進入部が形成された第３ベルト部とを含んでなり、前記クリップが最終的に固定する第２ベルトの鋸歯面が摩耗された場合、前記第２ベルトを交換できることを特徴とするスポーツ用バインダーの交換可能な固定ベルト。
【請求項６】
鋸歯面が形成されクリップによって締め付けられるスポーツ用バインダーの固定ベルトとして、一端は前記スポーツ用バインダーに回動可能に固定される第１ベルトと、及び一端は前記第１ベルト部の他端と回動可能に結合され、前記クリップによって使用者の足サイズに合せて締め付けられ、固定され、他端は前記クリップ内部へ最初に挿入される進入部が形成され交換可能な交換用ベルトを形成する第２ベルトとを含んでなり、前記クリップが最終的に固定する前記第２ベルト部の鋸歯面が摩耗された場合、前記第２ベルトを交換できることを特徴とするスポーツ用バインダーの交換可能な固定ベルト。
【請求項７】
鋸歯面が形成されクリップによって締め付けられるスポーツ用バインダーの固定ベルトとして、一端は前記スポーツ用バインダーに固定され、前記クリップによって使用者の足サイズに合せて締め付けられ、固定される交換可能な交換用ベルト部を形成する第１ベルト部と、及び一端が前記第１ベルト部の他端と結合され、他端は前記クリップ内部へ最初に挿入される進入部が形成された第２ベルト部とを含んでなり、前記クリップが最終的に固定する前記第１ベルト部の鋸歯面が摩耗された場合、前記第１ベルトを交換できることを特徴とするスポーツ用バインダーの交換可能な固定ベルト。
【請求項８】
鋸歯面を形成してクリップによって締め付けるインラインスケートの固定用ベルトとして、一端はスケート靴に固定され、他端は更に他の固定用ベルトと連結され得るように連結部が形成された第１ベルトと、前記第１ベルトと連結され、その両端に前記第１ベルト部及び更に他の固定用ベルトと連結され得るように連結部がそれぞれ形成された第２ベルト部と、及び前記第２ベルト部と連結され、一端は前記第２ベルトと連結される連結部が形成され、他端は前記スケート靴のクリップに挿入される進入部が形成された第３ベルト部とからなり、前記クリップが最終的に固定する前記第２ベルト部の鋸歯面が摩耗された場合、前記第２ベルト部を交換できることを特徴とするインラインスケートの交換可能な固定ベルト。
【発明の詳細な説明】
【０００１】
【発明の属する技術分野】
本発明は、スポーツ用バインダー交換可能な固定ベルトに関するものである。更に詳細には、スポーツ用バインダーの着用時に、鋸歯面に向かってクリップを締め付けることにより、使用者が履くブーツをバインダーに固定させる固定ベルトにおいて、長期使用によりベルトが摩耗された場合、その摩耗された部分だけを交換できるようにベルトの中央部が結合構造によって交換可能なスポーツ用バインダーの固定ベルトに関する。
【０００２】
【従来の技術】
スポーツ用バインダーの固定ベルトにはさまざまな種類があるが、本発明ではポリウレタン材質で成形され、かつ鋸歯面が形成されたベルトがクリップの内側に挿入されベルトを締め付けることにより、クリップが鋸歯を一つずつ移動させて相互に嵌合して固定されるベルトであり、このような鋸歯型ベルトはスノーボード、スキー、ローラースケート、インラインスケートのような分野に適用され得、説明の便宜上の例としてスノーボード用バインダーの固定ベルトとして取り上げた。
【０００３】
一般に、スノーボードに乗る利用者らはブーツをスノーボードバインダーに固定させるが、その固定方法は、使用者がバインダーの内部にブーツを取り付けし、クリップを調整してベルトの鋸歯に締め付けることで着用する。使用者がブーツをバインダーに固定させてからスノーボードに乗ることができる。
【０００４】
図１は、従来のスノーボード用バインダーの固定ベルト（１０）を示す。固定ベルト（１０）の一端に形成された結合穴（６１）はバインダーの所定位置から固定手段によって常時固定された状態として結合され、他端はクリップの内側に挿入され使用者の足サイズに合せてベルトを締め付け得るようになる。そして、ベルトの一面には鋸歯状が成形されているため使用者がクリップ調整でベルトを締め付けることにより、鋸歯が噛み合ってベルトが締められ使用者の足はバインダー内部に固定される。
【０００５】
従来の固定ベルトは、使用者がスノーボードを長期に渡って乗ることにより、クリップによって使用者のブーツを固定させた特定部位の鋸歯面部分だけが擦り減ってなくなってしまう。普通、レンタル用バインダーでは使用者の足または足首サイズによって固定される鋸歯面部分の差異があり得るが、レンタル用バインダーもまたは個人バインダーも共に、大概の場合、特定部位の鋸歯面部分だけ摩耗され固定力が落ちるという問題点があった。
【０００６】
このように、固定力が落ちたベルトでバインダーを着用してスノーボードに乗る場合、使用者の足がスノーボードに完全に固定されないために、不安感を覚えるので、スノーボードのスピードを思いきり楽しめなくなる。特に、事故によって使用者の足がバインダーから離脱された場合には大事故を招きかねない問題点がある。
【０００７】
従って、摩耗されたベルトは再びもとの固定力を維持できるように周期的に新しいベルトに交換して使用されるが、摩耗された部分は鋸歯面の３〜４個部位だけであるにも関わらず、摩耗されていない残りの部分までも一緒に交換しなければならないので非経済的であり、かつ資源のリサイクル面においても非効率的であるという問題点があった。
【０００８】
【発明が解決しようとする課題】
前記のような従来の問題点を解決するために、本発明によるスポーツ用バインダーの交換可能な固定ベルトは、主に摩耗される部位を交換可能な交換用ベルト部から構成することによって、ベルトの一面に形成された鋸歯面が摩耗されると摩耗されたベルトだけ交換して使用し得るようにしたスポーツ用バインダー交換可能なベルトを提供することを目的とする。
【０００９】
【課題を解決するための手段】
前記のような目的を達成するための本発明によるスポーツ用バインダーの交換可能な固定ベルトは、内側に受容されるブーツを固定するための鋸歯面が形成されたスノーボードバインディングの固定ベルトとして、一端に前記スノーボードバインディングに結合され得るように結合穴が形成され、他端は更に他の固定用ベルトと結合できるように連結部が形成された第１ベルトと、前記第１ベルトと連結されて、その両端に前記第１ベルト及びまた更に他の固定用ベルトと連結され得るように連結部がそれぞれ形成された第２ベルト部、及び前記第２ベルト部と連結されて、一端は前記第２ベルトと連結される連結部が形成されて、他端は前記バインディングのクリップに挿入される進入部が形成された第３ベルトとからなり、前記クリップが最終的に固定する前記第２ベルト部の鋸歯面が摩耗された場合、前記第２ベルト部を交換できることを特徴とする。
【００１０】
本発明の望ましい特徴によれば、前記第２ベルト部は、両端の連結部が前記第１ベルト部及び第３ベルト部にそれぞれ内側に受容され固定ピンの挿入によってヒンジ結合され得ることを特徴とする。
【００１１】
また、前記第２ベルトは、鋸歯面上に金属材の薄板が付着され耐久性を増加させることを特徴とする。
【００１２】
さらに、前記第１ベルトは、前記連結部に突起部が形成されることにより、ベルトが前記クリップから外れたときに、前記突起部までにだけ回動できるようにしたことを特徴とする。
【００１３】
【発明の実施の形態】
以上のように構成された本発明によるスポーツ用バインダーの交換可能な固定べルトは、ベルトを締め付けによりクリップと固定役割をする鋸歯面の摩耗される部位を交換用ベルトに構成することで、特定部位の鋸歯面が摩耗された場合、交換用ベルトだけを交換することで耐久性を常時維持し、交換部分の材料コストが原価節減されることで費用節減できる長所がある。
【００１４】
図１は、従来固定ベルトの斜視図であり、図２ａ乃至図２ｃは、本発明の第１、第２及び第３実施例によるスポーツ用バインダーの交換可能な固定ベルトの斜視図である。図３は、第１実施例による固定ベルトの分解斜視図であり、図４は、本発明の第４実施例による固定ベルトの斜視図である。図５は、第１実施例による固定ベルトを使用したスノーボードバインダーの斜視図である。
【００１５】
次に、上記のような構成要素らを含めてなされた本発明の望ましい実施例を添付図面を参照しながら更に具体的に説明する。
【００１６】
図１は、従来のスノーボード用バインダーに使用される固定ベルト（１０）を図示する。一端に形成された結合穴（６１）は、右側バインダーの場合は右足首の部位のバインダー、左側バインダーの場合は左足首の部位に固定されて、他端はクリップの内部に挿入され足サイズに合せて結合される。従来固定ベルトにおいて、使用者が固定させる鋸歯面は殆ど一定した部分であるために、特定部位の鋸歯３〜４個だけが擦り減ってなくなり、残り鋸歯は摩耗することなく初期状態を維持するのである。従来には特定部位が摩耗されてもベルト全体を交換しなければならない資源浪費という短所があった。
【００１７】
図２ａは、本発明の第１実施例による固定ベルト（１）を図示する。本発明においては、鋸歯面（５）を持つ一定部位を取り替え可能な交換用ベルト部に該当する第２ベルト部（２）に構成した。全体ベルトはバインダー側に固定される第１ベルト部（３）、第２ベルト部（２）及び第３ベルト部（４）とに構成され、第１ベルト部（３）と第３ベルト部（４）との間に第２ベルト部（２）が取り替え可能に結合される。
【００１８】
図２ｂ及び図２ｃは、三つのベルト部から構成された第１実施例と異なり二つのベルト部から構成し結合した他の実施例を示す。
【００１９】
図２ｂは、本発明の第２実施例として、図２ａに示した第１実施例の第２ベルト部と第３ベルト部とを一体化させ交換用ベルト部に該当する第２ベルト部（２）を形成して、第１ベルト部（３）と結合させた固定ベルト（１）である。図２ｃは、本発明の第３実施例として、図２ａに示した第１実施例の第１ベルト部と第２ベルト部とを一体化させ交換用ベルト部に該当する第１ベルト部（３）を形成し、第２ベルト部（４）と結合させた固定ベルトである。
【００２０】
図３は、図２ａに示した第１実施例による固定ベルト（１）の結合構造を示した。第２ベルト部（２）の両端は第１ベルト部（３）及び第３ベルト部（４）と交換可能に結合される。第２ベルト部（２）の両端には中空の円筒形貫通ホール（２１）がそれぞれ形成され、一端の貫通ホール（２１）は第１ベルト部の第１受容口（３２）と受容口（３３）との間の内側に合せられ固定ピン（３４）が嵌め込まれることにより固定される。同様に、他端の貫通ホール（２１）は第２ベルト部の第１受容口（４２）と第２受容口（４３）との間の内側に合せられ固定ピン（４４）が嵌め込まれることにより固定される。第１ベルト部には結合穴（３１）が形成されバインダー側に固定手段によって固定される。従って、使用者は第３ベルト部（４）の進入部（６）をバインダーのクリップの内側に挿入し、自分の足サイズに合せて締めることでバインダーを固定する。
【００２１】
第１ベルト部の第１受容口（３２）及び第２受容口（３３）との上部表面には突出顎（３５）が形成される。突出顎（３５）の役割はバインダーからベルトが外されたとき、突出顎（３５）までにだけ外側に反れ得る特徴がある。これは通常、リフトに乗ったとき、殆どの使用者はバインダーのベルトを外した状態でいるが、リフトから降りるときは固定ベルト（１）を締めなければならない。そのため、本発明は、速やかにベルトを探して固定させ得るので、安全事故を予防することのできる長所がある。
【００２２】
図４は、本発明の第４実施例によって、図２ａに第１実施例として示した第２ベルト部（２）の鋸歯部の表面の耐久性のため金属材の薄板（７）を接着させた例を示した。通常の固定ベルトはポリウレタン材質で鋸歯面が成形された構成であるが、第４実施例においては、交換用ベルト部である第２ベルト部（２）の摩耗を更に防止するために、その鋸歯面上にステンレス材質の金属材の薄板（７）を接着手段によって付着させたことで更なる耐久性を増加させた。また、金属材の薄板（７）を金属プレスによってインサート成形させることにより第２ベルト部（２）の鋸歯面と金属材の薄板（７）とを一体化させることも可能である。
【００２３】
第４実施例の場合、固定力を与えられる部位が金属材質であるため、従来のポリウレタン材質のベルトより更に固定力に優れ、かつその耐久性をもまた更に増加され得るので著しく効果的である。このような第４実施例の構成は図２ｂ及び図２ｃに示した第２、３実施例に適用するのも可能である。
【００２４】
図５は、第１実施例による固定ベルト（１）をスノーボードバインダーに使用したときの状態を図示する。使用者がバインダーを着用するとき、バインダーが自分のブーツに密着され得るようにベルトの長さを調整して、完全に密着させたときには第２ベルト部（２）の鋸歯面に固定される。従って、クリップ固定によって擦り減る鋸歯面は第２ベルト部（２）に該当されるために鋸歯面が摩耗されベルトを交換する場合、使用者は固定ベルト（１）のすべてを交換する必要がなく第２ベルト（２）だけを交換することでバインダーを新品のように使用することができる。図５では、便宜上、第１実施例に構成されたベルトを図示したが、第２乃至第４実施例から構成されたベルトを使用することも可能である。
【００２５】
前述したように、本発明によるスポーツ用バインダーの交換可能な固定ベルトの実施例が構成されたが、本発明の技術的な範囲は必ずしも前記実施例に限定されない。本発明においては、便宜上、スノーボードのバインダーに使用されるポリウレタン材質の鋸歯面を持つ固定ベルトを例に挙げたが、その他の他のスポーツ分野だけではなく、他の分野においても本発明の技術的な範囲を害しない範囲内で多様な変形や応用例が可能である。
【００２６】
【発明の効果】
本発明によるスポーツ用バインダーの交換可能な固定ベルトは固定力を与えられ、主に摩耗される鋸歯面を持つ部位を交換用ベルト部に構成することにより、長期使用によって鋸歯面が摩耗された場合、その交換用ベルトだけを交換できるために資源のリサイクル面において優れ、かつ交換費用及び材料コストを節減させ経済性に優れた効果を奏する。
【図面の簡単な説明】
【図１】従来スポーツ用バインダー固定ベルトの斜視図である。
【図２】（ａ）は、本発明の第１実施例によるスポーツ用バインダーの交換可能な固定ベルト斜視図、（ｂ）は、本発明の第２実施例によるスポーツ用バインダーの交換可能な固定ベルト斜視図、（ｃ）は、本発明の第３実施例によるスポーツ用バインダーの交換可能な固定ベルト斜視図である。
【図３】本発明の第１実施例による交換可能なスポーツ用バインダー固定ベルトの分解斜視図である。
【図４】本発明の第４実施例による固定ベルトの斜視図である。
【図５】本発明の実施例による固定ベルトを適用したスノーボードバインダーの斜視図である。
の斜視図。
【符号の説明】
１          固定ベルト
２          第２ベルト部
３          第１ベルト部
４          第３ベルト部
５          鋸歯面
６          進入部
７          金属材の薄板
１０        従来ベルト
２１        貫通ホール
３１、６１  結合穴
３２、４２  第１受容口
３３、４３  第２受容口
３４、４４  固定ピン
３５        突出顎
【図１】
2005021543.tif 000003
【図２】
2005021543.tif 000004
【図３】
2005021543.tif 000005
【図４】
2005021543.tif 000006
【図５】
2005021543.tif 000007